(57)【特許請求の範囲】
【請求項１】
複数の放送局から提供される複数の放送サービスを受信可能な携帯型受信機であって、
前記複数の放送サービスをそれぞれ受信するチューナ部と、
前記携帯型受信機の現在位置を特定する位置特定部と、
前記複数の放送局の位置を示す情報を少なくとも含む放送サービス情報を記憶する放送サービス情報記憶部と、
前記現在位置から見た各放送局の位置する方角を前記放送サービス情報に基づいて算出する位置関係算出部と、
各放送局によって提供される放送サービスの映像を、表示部に表示される画面の中心に対して前記方角に相当する向きに表示する優先提示制御部と、
を備えることを特徴とする携帯型受信機。
【請求項２】
前記位置関係算出部は、更に、前記現在位置と各放送局との間の距離を前記放送サービス情報に基づいて算出し、
前記優先提示制御部は、前記距離が近い方の放送局の放送サービスの映像を、前記距離が遠い方の放送局の放送サービスの映像よりも表示部に大きく表示されるように制御することを特徴とする請求項１に記載の携帯型受信機。
【請求項３】
前記位置関係算出部は、更に、前記現在位置と各放送局との間の距離を前記放送サービス情報に基づいて算出し、
前記優先提示制御部は、前記距離が近い方の放送局の放送サービスの映像を、前記距離が遠い方の放送局の放送サービスの映像よりも表示部に濃く表示されるように制御することを特徴とする請求項１に記載の携帯型受信機。
【請求項４】
前記位置関係算出部は、更に、前記現在位置と各放送局との間の距離を前記放送サービス情報に基づいて算出し、
前記優先提示制御部は、前記距離が近い方の放送局の放送サービスの音声を、前記距離が遠い方の放送局の放送サービスの音声よりも大きな音量となるように制御することを特徴とする請求項１に記載の携帯型受信機。
【請求項５】
複数の放送局から提供される複数の放送サービスを受信可能な携帯型受信機であって、
前記複数の放送サービスをそれぞれ受信するチューナ部と、
前記携帯型受信機の現在位置を特定する位置特定部と、
前記複数の放送局の位置を示す情報を少なくとも含む放送サービス情報を記憶する放送サービス情報記憶部と、
前記現在位置と各放送局との間の距離を前記放送サービス情報に基づいて算出する位置関係算出部と、
前記距離が近い方の放送局の放送サービスの提示時間を、前記距離が遠い方の放送局の放送サービスの提示時間よりも長くなるように、前記複数の放送サービスを交互に切り換えて提示する優先提示制御部と、
を備えることを特徴とする携帯型受信機。
【請求項６】
複数の放送局から提供される複数の放送サービスを受信可能な携帯型受信機に用いられる放送受信方法であって、
前記携帯型受信機の現在位置を特定し、
前記複数の放送局の位置を示す情報を少なくとも含む放送サービス情報を記憶し、
前記現在位置から見た各放送局の位置する方角を前記放送サービス情報に基づいて算出し、
各放送局によって提供される放送サービスの映像を、表示部に表示される画面の中心に対して前記方角に相当する向きに表示する
ことを含む放送受信方法。
【請求項７】
複数の放送局から提供される複数の放送サービスを受信可能な携帯型受信機に用いられる放送受信方法であって、
前記携帯型受信機の現在位置を特定し、
前記複数の放送局の位置を示す情報を少なくとも含む放送サービス情報を記憶し、
前記現在位置と各放送局との間の距離を前記放送サービス情報に基づいて算出し、
前記距離が近い方の放送局の放送サービスの提示時間を、前記距離が遠い方の放送局の放送サービスの提示時間よりも長くなるように、前記複数の放送サービスを交互に切り換えて提示する
ことを含む放送受信方法。
【発明の詳細な説明】
【技術分野】
【０００１】
本発明は、放送を受信可能な携帯型受信機、および携帯型受信機における放送受信方法に関する。
【背景技術】
【０００２】
地上デジタルテレビ放送では、広帯域放送（以下フルセグ放送、または１２セグ放送と呼ぶ）と狭帯域放送（以下ワンセグ放送と呼ぶ）とで同一の映像コンテンツを同一時刻に放送する所謂サイマル放送が行われている。一方、サイマル放送を行わず、フルセグ放送とは異なる独自の映像コンテンツを特定のサービスエリア内のみで放送するエリアワンセグ放送の実証実験が現在行われている。エリアワンセグ放送は、サービスエリアが半径数メートル程度の小規模ものから、半径数十〜数百メートルである比較的規模の大きいものまで様々なものが想定されている。
【０００３】
ユーザがエリアワンセグ放送を受信するには、エリアワンセグ放送の放送局のチャンネル情報を取得する必要がある。特許文献１には、基地局からエリアワンセグ放送を受信可能な移動局に対して、自基地局のカバーエリア内において放送されるエリアワンセグ放送の放送番組紹介情報およびチャンネル設定情報を含む放送サービス提供情報を送信する技術が開示されている。移動局のディスプレイにテキスト表示された放送番組紹介情報をユーザが選択すると、移動局はチャンネル設定情報に基づいてエリアワンセグ放送番組を受信することができる。
【先行技術文献】
【特許文献】
【０００４】
【特許文献１】特開２０１０−１６６１５３号公報
【発明の概要】
【発明が解決しようとする課題】
【０００５】
携帯端末の現在位置で複数の放送波を受信可能である場合、携帯端末のユーザはその場所から移動しても引き続きエリアワンセグ放送を受信し続けられるか否かを確認できると便利である。この場合、特許文献１に記載の技術のように、放送サービスの受信可能範囲などの情報がテキストで提供されても、受信可能範囲の地名やランドマーク名などが分からなければ、ユーザは受信可能範囲に近づいているか遠ざかっているかを知ることができない。
【０００６】
本発明はこうした状況に鑑みてなされたものであり、その目的は、携帯型受信機において複数の放送サービスを受信可能であるとき、各放送サービスの受信可能範囲をユーザに直感的に把握させる技術を提供することにある。
【課題を解決するための手段】
【０００７】
本発明の一態様は、複数の放送局から提供される複数の放送サービスを受信可能な携帯型受信機である。携帯型受信機は、複数の放送サービスをそれぞれ受信するチューナ部と、携帯型受信機の現在位置を特定する位置特定部と、複数の放送局の位置を示す情報を少なくとも含む放送サービス情報を記憶する放送サービス情報記憶部と、現在位置と各放送局との間の距離を放送サービス情報に基づいて算出する位置関係算出部と、各放送局のうち携帯型受信機との間の距離が近い方の放送局の放送サービスを優先的に提示する優先提示制御部と、を備える。
【０００８】
この態様によると、携帯型受信機において複数の放送サービスを受信可能であるとき、放送サービスが再生される態様を観察することで、携帯型受信機のユーザはいずれの放送サービスを提供する放送局に近い位置にいるのかを直感的に把握することができる。
なお、「優先的に提示」とは、他の放送サービスよりもユーザがより見やすいかまたは目立つ態様で表示すること、または一方が他方よりも認知されやすい態様で提示することを言う。
【０００９】
なお、以上の構成要素の任意の組合せ、本発明の表現を方法、装置、システム、記録媒体、コンピュータプログラムなどの間で変換したものもまた、本発明の態様として有効である。
【発明の効果】
【００１０】
本発明によれば、携帯型受信機で複数の放送サービスを受信可能であるとき、各放送サービスの受信可能範囲をユーザに直感的に把握させることができる。
【図面の簡単な説明】
【００１１】
【図１】本発明の一実施形態に係る携帯型受信機を含む放送受信システムの概略構成図である。
【図２】管理サーバから携帯型受信機に提供される放送サービス情報の内容を示す表である。
【図３】一実施形態に係る携帯型受信機の構成を示すブロック図である。
【図４】携帯型受信機とワンセグ放送局との位置関係を簡潔に表した図である。
【図５】二つの放送エリアが重なっているときの画面レイアウトの決定方法を説明する図である。
【図６】携帯型受信機が放送局Ｂ１からＢ２まで移動するときの画面レイアウトの変化を説明する図である。
【図７】携帯型受信機が放送局Ｂ１からＢ２まで移動するときの画面レイアウトの変化を説明する図である。
【図８】携帯型受信機が放送局Ｂ１からＢ２まで移動するときの音量の変化を説明する図である。
【図９】（ａ）〜（ｄ）は、４つの放送サービスを受信可能な場合に、放送局までの距離に応じて各放送サービスの表示サイズを変更する実施例を説明する図である。
【図１０】（ａ）〜（ｄ）は、各放送局の位置する方角を表示する実施例を説明する図である。
【図１１】携帯型受信機が放送局Ｂ１からＢ２まで移動するときの各放送サービスの表示時間の変化を説明する図である。
【図１２】複数の実施例を組み合わせた例を示す図である。
【図１３】複数の放送エリアが重なっているときに携帯型受信機上でいずれかの放送サービスを優先表示する処理のフローチャートである。
【発明を実施するための形態】
【００１２】
図１は、本発明の一実施形態に係る携帯型受信機１００を含む放送システム１０の概略構成図である。
【００１３】
携帯型受信機１００は、ワンセグ放送を受信するアンテナ、受信したワンセグ放送から得られた放送コンテンツを再生するためのディスプレイ２００およびスピーカ（図示せず）を少なくとも備える携帯端末である。また、携帯型受信機１００は、ＧＰＳ（Global Positioning System）衛星２２から発せられる電波を受信するアンテナと、管理サーバ１２と無線通信を行うアンテナとをさらに備える。無線通信は、ＬＡＮ（Local Area Network）を利用してもよいし携帯電話網を利用してもよい。携帯型受信機１００は、例えば、スマートフォン、携帯電話機、タブレット端末、ノートパソコン等であってもよい。
なお、以降の記述では、説明を簡単にするために、ワンセグ放送とこのワンセグ放送で放送される放送コンテンツとを総称してワンセグ放送サービス、または単に放送サービスと呼ぶことがある。
【００１４】
図示しない放送設備に接続されたワンセグ放送局Ｂ１、Ｂ２は、放送局毎に予め設定されているチャンネル番号（周波数）を使って放送コンテンツを変調し放送波として発信する。ワンセグ放送局Ｂ１、Ｂ２は、それぞれの送信出力に応じて、数ｍ〜数百ｍの受信可能範囲（以下、「放送エリア」と呼ぶ）Ａ１、Ａ２を有する。
【００１５】
ＬＡＮ等のネットワークを介して管理サーバ１２と接続された無線通信装置１４は、複数の放送局Ｂ１、Ｂ２をその中に含む通信範囲１６内で携帯型受信機１００と通信可能である。管理サーバ１２は、無線通信装置１４の通信範囲１６内で提供されているワンセグ放送局Ｂ１、Ｂ２に関する情報（以下、「放送サービス情報」と呼ぶ）を保持している。管理サーバ１２は、携帯型受信機１００からの問い合わせに応じて放送サービス情報を無線通信装置１４を介して提供するように構成されている。
【００１６】
なお、以下では、携帯型受信機１００が放送サービス情報を管理サーバ１２から無線通信装置１４を介して取得する場合について述べるが、放送サービス情報の取得方法はこれに限られず任意の方法を用いることができる。
【００１７】
携帯型受信機１００がワンセグ放送局の放送エリア内にある場合、携帯型受信機に組み込まれているワンセグ視聴用のアプリケーションを起動させると、アプリケーションが放送サービス情報に基づき自動的に選局を行い、ワンセグ放送サービスを受信しディスプレイ２００に表示する。図１では、携帯型受信機１００が放送エリアＡ１、Ａ２の両方に含まれているので、ワンセグ放送局Ｂ１、Ｂ２の両方が放送する放送サービスを受信することができる。
【００１８】
本実施形態では、図１のように携帯型受信機１００が複数の放送局から放送サービスを受信可能である場合、受信機からの距離が最も近い放送局によって提供される放送サービスを、他の放送局から提供される放送サービスよりも優先的に提示する。ここで、「優先的に提示」とは、他のエリア放送サービスよりもユーザがより見やすいかまたは目立つ態様で表示すること、または一方が他方よりも認知されやすい態様で提示することを言う。優先的な提示の具体例は、図５以降を参照して後述する。
【００１９】
図２は、管理サーバ１２から携帯型受信機１００に提供される放送サービス情報の内容を示す表５０である。放送サービス情報には、無線通信装置１４の通信範囲１６内に位置する各ワンセグ放送局について、放送局名５２、チャンネル５４、周波数５６、放送局の緯度および経度５８、各放送局の放送エリア半径６０、および放送時間６２を少なくとも含む。
【００２０】
図３は、本実施形態に係る携帯型受信機１００の構成を示すブロック図である。この構成は、ハードウエア的には、任意のコンピュータのＣＰＵ、メモリその他のＬＳＩ、種々の装置で実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２１】
チューナ部１０４は、放送サービス情報取得部１２４で取得される放送サービス情報に基づき、受信可能なワンセグ放送の周波数にチューニングする。チューナ部１０４は、ワンセグ受信アンテナ１０２を介して受信したワンセグ放送に検波、復調、誤り訂正等の処理を施して放送信号を取得し、得られた放送信号をデマルチプレクサ１０６に送る。本実施形態では、複数のワンセグ放送波を同時に受信するために、アンテナ１０２およびチューナ部１０４組が２組以上（図では４組）設けられている。
【００２２】
デマルチプレクサ１０６は、放送信号から放送サービス（放送コンテンツ）としての音声データおよび映像データを取り出し、それぞれ音声デコーダ１０８またはビデオデコーダ１１０に送る。
【００２３】
音声デコーダ１０８は、取り出された音声データを復号し、得られた音声信号を音声出力部１１４に送る。音声出力部１１４は、送られた音声信号をスピーカ１１８で出力する。
【００２４】
ビデオデコーダ１１０は、取り出された映像データを復号し、得られた映像信号を画像合成部１１２に送る。画像合成部１１２は、後述する優先提示制御部１４０からの指令に応じて、複数の放送信号から取り出された映像データのスケーリング、映像データの合成、必要に応じてメニュー表示の合成等を行い、画像出力部１１６に送る。画像出力部１１６は、送られた映像信号をディスプレイ２００で表示する。
【００２５】
放送サービス情報取得部１２４は、アンテナ１２２を介して管理サーバ１２から放送サービス情報を取得する。取得した放送サービス情報は、記憶装置１５０に格納される。記憶装置１５０は、例えばハードディスク、ＤＶＤ（Digital Versatile Disc）（登録商標）等の光学ディスク、ＳＤカード（登録商標）などの不揮発性メモリなどが含まれるが、これら以外であってもよい。
【００２６】
位置特定部１２８は、ＧＰＳアンテナ１２６で受信されるＧＰＳ信号に基づき、所定の時間間隔で携帯型受信機１００の現在位置、例えば緯度および経度を特定する。
【００２７】
位置関係算出部１３８は、位置特定部１２８によって特定された携帯型受信機１００の現在位置と、放送サービス情報に含まれる各放送局の緯度および経度とを使用して、所定の時間間隔（例えば数十秒）で携帯型受信機１００から各放送局までの距離を算出する。距離の算出に加えて、携帯型受信機１００から見た各放送局の方角を求めてもよい。
【００２８】
優先提示制御部１４０は、位置関係算出部１３８により求められた各放送局の距離に基づき、放送サービスの様々な優先提示態様を制御する。優先提示制御部１４０は、画面レイアウト決定部１４２、音声調整部１４４、透明度調整部１４６および切換指示部１４８を含む。
【００２９】
画面レイアウト決定部１４２は、携帯型受信機１００の現在位置から放送局までの距離の近い方の放送サービスを、距離の遠い方の放送サービスよりも大きく表示する画面レイアウトを決定する。決定された画面レイアウトの情報は、画像合成部１１２に送られる。
【００３０】
また、画面レイアウト決定部１４２は、携帯型受信機１００の現在位置から見て各放送局の位置する方角に相当する向きに、各放送局によって提供される放送サービスを表示するような画面レイアウトを決定してもよい。
【００３１】
受信可能な放送サービスのうち、放送が休止中のものがある場合は、その放送サービスを表示すべき領域に放送開始時刻などの放送サービス情報を表示したり、またはその放送サービスに表示領域を割り当てないようにしてもよい。
【００３２】
音声調整部１４４は、携帯型受信機１００の現在位置から放送局までの距離の近い方の放送サービスの音声を、距離の遠い方の放送サービスの音声よりも大きな音量に決定する。決定された音量が音声出力部１１４に設定される。
【００３３】
透明度調整部１４６は、携帯型受信機１００の現在位置から放送局までの距離の近い方の放送サービスを、距離の遠い方の放送サービスよりも濃く表示する。より具体的には、ディスプレイ２００の上面に配置されたフィルタ１５２の透明度を変化させることで、各放送サービスの濃さを変化させる。
【００３４】
切換指示部１４８は、受信可能な放送サービスを順次切り換えて表示させる。より具体的には、切換指示部１４８は、携帯型受信機１００の現在位置から放送局までの距離の近い方の放送サービスの表示時間が、距離の遠い方の放送サービスの表示時間よりもそれぞれ長くなるように、それぞれの表示時間を決定する。この表示時間の情報は画像合成部１１２に送られる。
【００３５】
画像合成部１１２は、優先提示制御部１４０からの指令に基づき、複数の放送局から受信した放送サービスの映像信号を合成または切り換える。すなわち、画面レイアウト決定部１４２から送られた画面レイアウトにしたがって各放送局からの映像信号を合成したり、切換指示部１４８から送られた表示時間にしたがって、各放送局からの映像信号を切り換えたりする。
【００３６】
音声出力部１１４は、音声調整部１４４によって設定された音量で各放送局から受信した放送サービスの音声信号を出力する。
【００３７】
続いて、上記のように構成された携帯型受信機１００の実施例について説明する。
【００３８】
実施例１．
図４は、携帯型受信機１００とワンセグ放送局Ｂ１、Ｂ２との位置関係を簡潔に表した図である。以下の説明では、各図面中の星印が携帯型受信機１００の現在位置を表すものとする。
【００３９】
携帯型受信機１００は、放送局Ｂ１の放送エリアＡ１、放送局Ｂ２の放送エリアＡ２の重なる部分に位置しており、両方の放送サービスを受信可能であるとする。また、携帯型受信機１００から放送局Ｂ１までの距離をＬ１、放送局Ｂ２までの距離をＬ２とする。位置関係算出部１３８は、所定の時間間隔でこれらの距離Ｌ１、Ｌ２を算出する。
【００４０】
図５は、図４に示すように二つの放送エリアが重なっているときに、画面レイアウト決定部１４２による画面レイアウトの決定方法を説明する図である。
【００４１】
図５は、携帯型受信機１００のディスプレイ２００内の、放送局Ｂ１から提供される放送サービスが表示される領域Ｓ１と、放送局Ｂ２から提供される放送サービスが表示される領域Ｓ２のレイアウトを示している。ディスプレイ２００の表示領域全体の幅をＷ、高さをＨ、縦横比Ｋ＝Ｗ／Ｈとする。また、領域Ｓ１の幅をｗ１、高さをｈ１とし、領域Ｓ２の幅をｗ２、高さをｈ２とする。画面レイアウト決定部１４２は、次式にしたがってこれらの値を算出する。
【００４２】
（数１）
ｗ１＝Ｗ／（１＋Ｌ１／Ｌ２）
ｈ１＝ｗ１／Ｋ
ｗ２＝Ｗ／（１＋Ｌ２／Ｌ１）
ｈ２＝ｗ２／Ｋ
【００４３】
上記のようにすると、携帯型受信機から放送局までの距離が近いほど、その放送局の放送サービスが表示される領域のサイズが大きくなり、放送局から離れるほど領域のサイズが小さくなる。この様子を図６を参照して説明する。
【００４４】
図６は、図４に示すように二つの放送局Ｂ１、Ｂ２による二つの放送エリアＡ１、Ａ２が存在する場合に、携帯型受信機１００が放送局Ｂ１からＢ２まで移動したときの画面レイアウトの変化を説明する図である。図中の上段左側から下段右側に向けて時間の経過を表し、上下各段で点線よりも上側の地図２０２は、時刻ｔ１〜ｔ６における携帯型受信機１００と放送局Ｂ１、Ｂ２および放送エリアＡ１、Ａ２との位置関係を表し、点線よりも下側はそれぞれの位置関係にあるときのディスプレイ２００内の画面レイアウトを表す。
【００４５】
時刻ｔ１では、携帯型受信機１００は放送局Ｂ１の位置にある。この位置は放送エリアＡ２の外になり放送サービスＳ２を受信できないので、放送サービスＳ１のみがディスプレイ２００の全体に表示される。
【００４６】
時刻ｔ２では、携帯型受信機１００が放送エリアＡ１、Ａ２の両方の中に入り、両方の放送サービスを同時に受信可能になる。数１にしたがって、各放送サービスに割り当てる領域のサイズが算出される。時刻ｔ３〜ｔ５にかけて、携帯型受信機１００が放送局Ｂ１から放送局Ｂ２の方向に移動すると、携帯型受信機１００から放送局Ｂ１までの距離が減少するとともに、放送局Ｂ２までの距離が増大する。これにつれて、ディスプレイ内で放送サービスＳ１の占める面積が小さくなるとともに、放送サービスＳ２の占める面積が大きくなる。
【００４７】
時刻ｔ６では、携帯型受信機１００が放送局Ｂ２の位置にある。この位置は放送エリアＡ１の外になり放送サービスＳ１を受信できないので、放送サービスＳ２のみがディスプレイの全体に表示される。
【００４８】
以上のように、携帯型受信機から放送局までの距離に応じて画面レイアウトを変更することによって、複数の放送サービスを受信可能な位置に携帯型受信機がある場合、ユーザは、ディスプレイのレイアウト変化を観察することで各放送サービスの放送エリアを直感的に把握することが可能になる。例えば、ユーザが携帯型表示機を持って移動中にディスプレイ内で放送サービスの表示サイズが小さくなっていく場合、ユーザは自分がその放送サービスの放送エリアから離れつつあることを認識することができる。したがって、その場に留まり放送サービスを見続けるか否かの判断材料とすることができる。また、放送サービスの表示がディスプレイから消えれば、ユーザはその放送サービスの放送エリア外に出たことを認識することができる。
【００４９】
実施例２．
携帯型受信機から放送局までの距離に応じて放送サービスの画面レイアウトを変更する代わりに、放送サービスの表示の濃さを変更するようにしてもよい。携帯型受信機１００のディスプレイに重ねられたフィルタ１５２は、印加される電圧に応じて透明度Ｃ（０≦Ｃ≦１）が変化するように構成されており、透明度調整部１４６からの指令に応じて動作する。なお、Ｃ＝０が完全な不透明、Ｃ＝１が完全な透明を意味する。
【００５０】
図７は、二つの放送局Ｂ１、Ｂ２による二つの放送エリアＡ１、Ａ２が存在する場合に、携帯型受信機１００が放送局Ｂ１からＢ２まで移動したときの画面レイアウトの変化を説明する図である。図中の上段左側から下段右側に向けて時間の経過を表し、上下各段で点線よりも上側の地図２０２は、時刻ｔ１〜ｔ６における携帯型受信機１００と放送局Ｂ１、Ｂ２および放送エリアＡ１、Ａ２との位置関係を表し、点線よりも下側はそれぞれの位置関係にあるときのディスプレイ２００内の画面レイアウトを表す。
【００５１】
位置関係算出部１３８が放送局Ｂ１、Ｂ２までの距離Ｌ１、Ｌ２をそれぞれ求める。透明度調整部１４６は、値の小さい方をＬｍｉｎとし、距離比Ｒ１、Ｒ２をＲｎ＝Ｌｎ／Ｌｍｉｎ（ｎ＝１、２）で計算する。そして、各放送サービスＳ１、Ｓ２の表示領域にかかるフィルタの透明度Ｃｎ＝１／Ｒｎを設定する。
【００５２】
時刻ｔ１では、携帯型受信機１００は放送局Ｂ１の位置にある。この位置は放送エリアＡ２の外になり放送サービスＳ２を受信できないので、放送サービスＳ１のみがディスプレイ２００の上半分に表示され、下半分には何も表示されない。
【００５３】
時刻ｔ２では、携帯型受信機１００が放送エリアＡ１、Ａ２の両方の中に入り、両方の放送サービスを同時に受信可能になる。放送サービスＳ１、Ｓ２に対応するフィルタの透明度Ｃ１、Ｃ２がそれぞれ求められる。時刻ｔ２〜ｔ３の間は、放送サービスＳ１の透明度Ｃ１＝１であり、放送サービスＳ２に対応するフィルタの透明度は０から１まで増加する。したがって、放送サービスＳ２の映像が次第に濃くなっていくように見える。
【００５４】
時刻ｔ４になると、放送局Ｂ１、Ｂ２までの距離が等しくなるので、両方の放送サービスとも透明度Ｃ＝１になる。時刻ｔ５になると、今度は放送サービスＳ２の透明度Ｃ２＝１になり、放送サービスＳ１の透明度は１から減少していく。時刻ｔ６では、携帯型受信機１００が放送局Ｂ２の位置まで移動し、放送エリアＡ１の外になり放送サービスＳ１を受信できないので、放送サービスＳ２のみがディスプレイ２００の下半分に表示され、上半分には何も表示されない。
【００５５】
以上のように、携帯型受信機から放送局までの距離に応じて放送サービスの表示の濃さを変更することで、複数の放送サービスを受信可能な位置に携帯型受信機がある場合、ユーザは各放送サービスの放送エリアを直感的に把握することが可能になる。
【００５６】
実施例３．
携帯型受信機から各放送局までの距離に応じて放送サービスの表示の濃さを変えることに加えて、各放送サービスの音量を変更するようにしてもよい。
【００５７】
図８は、音量を変える実施例を説明する図である。図中の時間軸、位置関係および表示画面は図７と同様である。さらに、図８には、各放送サービスＳ１、Ｓ２の音量のイメージを表す図形Ｖ１、Ｖ２も描かれている。
【００５８】
音声調整部１４４は、音量の基準値をＶ０に対して、それぞれの放送サービスの音量Ｖ１、Ｖ２をＶｎ＝Ｖ０／Ｒｎ（ｎ＝１、２）で算出し、算出した音量を音声出力部１１４に設定する。音声出力部１１４は設定された音量Ｖ１、Ｖ２にしたがって音声を出力する。こうすると、時刻ｔ２〜ｔ５にかけて、携帯型受信機１００が放送局Ｂ１からＢ２に向かうにつれて、放送サービスＳ１の音量Ｖ１が小さくなるとともに、放送サービスＳ２の音量Ｖ２が大きくなる。携帯型受信機が放送エリア外にあるときは、当然そのコンテンツの音量も０になる。これにより、ユーザは音量の変化からも各放送サービスの放送エリアを直感的に把握することが可能になる。
【００５９】
上記のようにすると、放送サービスＳ１とＳ２の音声が重なり合い実質的に聞き取れなくなる。そこで、放送局までの距離が近い方の放送サービスの音声のみが出力されるようにしてもよい。図８の例では、時刻ｔ１〜ｔ３の間は、放送サービスＳ１の音声のみが出力される。放送局Ｂ１までの距離と放送局Ｂ２までの距離が等しくなる時刻ｔ４以降は、放送サービスＳ２の音声のみが出力される。
【００６０】
実施例４．
上記の実施例では、受信可能な放送サービスが二つである場合について説明した。続いて、図９（ａ）〜（ｄ）を参照して、受信可能な放送サービスが４つである場合に、各放送局までの距離に応じて放送サービスの表示サイズを変更する方法について説明する。
【００６１】
図９（ａ）は、携帯型受信機１００が４つの放送エリアＡ１〜Ａ４の重複する範囲に位置する様子を示す。位置関係算出部１３８は、図９（ｂ）に示すように、各放送局Ｂ１〜Ｂ４までの距離Ｌ１〜Ｌ４をそれぞれ算出する。図９（ｃ）に示すように、ディスプレイ２００は、４つの放送サービスを同時に表示するために４つの領域に等分割される。各領域の対角線長さをＸ０とする。画面レイアウト決定部１４２は、各領域で表示する放送サービスの表示サイズを算出する。
【００６２】
まず、画面レイアウト決定部１４２は、算出した距離Ｌ１〜Ｌ４の中で最も距離の短いものをＬｍｉｎとして選択する。続いて、放送サービスＳ１〜Ｓ４について、それぞれの距離比Ｒ１〜Ｒ４をＲｎ＝Ｌｎ／Ｌｍｉｎ（ｎ＝１〜４）で計算する。さらに、各放送サービスＳ１〜Ｓ４の表示サイズの対角線長さＸ１〜Ｘ４を、Ｘｎ＝Ｘ０／Ｒｎ（ｎ＝１〜４）で計算する。
【００６３】
この結果、図９（ｄ）に示すように、携帯型受信機１００から放送局までの距離が最も近い放送サービスＳ１は最大サイズで表示され、距離が遠くなる放送サービスＳ２、Ｓ３、Ｓ４の順で小さなサイズで表示される。例えばＬ４＝４・Ｌ１であれば、Ｓ４の表示サイズはＳ１の表示サイズの２５％になる。
【００６４】
以上のようにすることで、受信可能な放送サービスが二つの場合と同様に、ユーザは各放送サービスの表示サイズの変化を観察することで、各放送サービスの放送エリアを直感的に把握することが可能になる。例えば、ユーザが携帯型表示機を持って移動中にある放送サービスの表示サイズが次第に大きくなっていく場合、ユーザはその放送サービスの放送局に近づいていることを認識でき、また、放送サービスの表示サイズが次第に小さくなっていく場合、ユーザはその放送サービスの放送エリアから離れつつあることを認識することができる。
【００６５】
なお、受信可能な放送サービスが三つである場合は、ディスプレイ２００を分割した領域の一つをブラックアウトにして使用すればよい。また、上記と同様の手法で、ディスプレイ２００を６分割、８分割等にすることで、同時に表示可能な放送サービス数を増やしてもよい。
【００６６】
実施例５．
実施例４では、ユーザは放送サービスの表示サイズの変化から放送局に近づいているか遠ざかっているかを認識することができるが、各放送局の大まかな方角が分かると、特定の放送局に向けて移動したい場合などに便利である。
【００６７】
図１０（ａ）〜（ｄ）は、各放送局の位置する方角を合わせて表示する実施例を説明する図である。図１０（ａ）は、図９（ａ）と同様に、携帯型受信機１００が４つの放送エリアＡ１〜Ａ４の重複する範囲に位置する様子を示す。
【００６８】
位置関係算出部１３８は、図１０（ｂ）に示すように、各放送局Ｂ１〜Ｂ４までの距離Ｌ１〜Ｌ４をそれぞれ算出する。位置関係算出部１３８はさらに、図示しない電子コンパスおよびＧＰＳ情報をもとにして、携帯型受信機１００を中心とした各放送局Ｂ１〜Ｂ４の方角を、北向きを０度とした時計回りの角度θ１〜θ４として算出する。なお、ディスプレイ２００には電子コンパスによって北の方向が表示され、携帯型受信機１００のユーザはこれを見てディスプレイ２００の上側が北向きになるような状態で受信機を保持するものとする。
【００６９】
図１０（ｃ）に示すように、ディスプレイ２００は、４つの放送サービスを同時に表示するために４つの領域に等分割される。画面レイアウト決定部１４２は、実施例４と同様にして、各領域で表示する放送サービスの表示サイズを算出する。さらに、画面レイアウト決定部１４２は、図１０（ｄ）に示すように、画面中心から見て各放送局の位置する方向の領域に、対応する放送サービスの表示Ｓ１〜Ｓ４を配置する。各放送局の位置する方向を表す矢印Ｙ１〜Ｙ４を合わせて表示してもよい。
【００７０】
各放送局の位置する方向が対角線方向にない場合や、同方向に二つの放送局が存在する場合には、図１０（ｂ）で求めたθｎの小さい順に、右上、右下、左下、左上の領域という順番で時計回りに放送サービスを表示してもよい。
【００７１】
このように、実施例５では、携帯型受信機１００から見た各放送サービスの放送局の方角を求め、この方角に合わせて放送サービスや矢印をディスプレイ２００内に表示するようにした。これにより、ユーザは、どの方向に移動すれば放送サービスの受信感度がよくなるかを直感的に理解することができる。
【００７２】
実施例６．
複数の放送サービスをディスプレイに同時に表示する代わりに、放送サービスを交互に切り換えて表示するようにしてもよい。この場合、携帯型受信機１００から放送局までの距離が近い方の放送サービスを長く、距離が遠い方の放送サービスを短い時間表示することで、放送エリアをユーザに把握させることができる。
【００７３】
図１１は、このような実施例を示す。図１１の左側の地図２１０、２１２、２１４は、携帯型受信機１００の現在位置と、放送局Ｂ１、Ｂ２および放送エリアＡ１、Ａ２との位置関係を示す。タイムテーブル２２０、２２２、２２４は、地図２１０、２１２、２１４にそれぞれ対応する、放送サービスＳ１、Ｓ２の切換の様子を示す図である。この実施例では、二つの放送サービスＳ１、Ｓ２を繰り返して表示する周期Ｔが一定であり、切換指示部１４８が、携帯型受信機１００から各放送局までの距離に応じて、この周期Ｔ内で各放送サービスを表示する時間を設定する。
【００７４】
地図２１０に示す位置では、携帯型受信機１００から放送局Ｂ１までの距離の方が近いので、対応する放送サービスＳ１の表示時間が放送サービスＳ２の表示時間よりも長く設定される。地図２１２に示す位置では、放送局Ｂ１までの距離と放送局Ｂ２間での距離が等しいので、放送サービスＳ１とＳ２の表示時間が等しく設定される。地図２１４に示す位置では、携帯型受信機１００から放送局Ｂ２までの距離の方が近いので、対応する放送サービスＳ２の表示時間が放送サービスＳ１の表示時間よりも長く設定される。
【００７５】
実施例７．
上述した各実施例は互いに組み合わせて使用することができる。図１２は、その一例を示す。図１１と同様に、地図２１０、２１２、２１４は、携帯型受信機１００の現在位置と、放送局Ｂ１、Ｂ２および放送エリアＡ１、Ａ２との位置関係を示す。タイムテーブル２２０、２２２、２２４は、地図２１０、２１２、２１４にそれぞれ対応する、放送サービスＳ１、Ｓ２の優先表示時間の切換の様子を示す。画面２４０、２４２、２４４は、ディスプレイ２００内の放送サービスＳ１、Ｓ２の表示態様を示す。
【００７６】
この例では、切換指示部１４８が、受信可能な放送サービスのそれぞれに対して優先表示時間を設定する。優先表示時間は、携帯型受信機１００から放送局までの距離の近い方が距離の遠い方よりも長く設定される。すなわち、地図２１０に示す位置では、携帯型受信機１００から放送局Ｂ１までの距離の方が近いので、対応する放送サービスＳ１の優先表示時間が放送サービスＳ２よりも長く設定される。地図２１２に示す位置では、放送局Ｂ１までの距離と放送局Ｂ２間での距離が等しいので、放送サービスＳ１とＳ２の優先表示時間が等しく設定される。地図２１４に示す位置では、携帯型受信機１００から放送局Ｂ２までの距離の方が近いので、対応する放送サービスＳ２の優先表示時間が放送サービスＳ１よりも長く設定される。
【００７７】
それぞれの優先表示時間中では、優先表示中の放送サービスのサイズおよび濃さが、他方の放送サービスよりも大きくかつ濃く表示される。さらに、優先表示中の放送サービスの音量が、他方の放送サービスよりも大きく再生される。
【００７８】
図１３は、複数の放送エリアが重なっているときに、携帯型受信機１００上でいずれかの放送サービスを優先表示する処理のフローチャートである。この処理は、所定の時間間隔で繰り返し実行される。
【００７９】
放送サービス情報取得部１３４は、管理サーバ１２から、現在位置の付近で受信可能な放送局の放送サービス情報を取得する（Ｓ１０）。位置特定部１２８は、携帯型受信機１００の現在位置を取得する（Ｓ１２）。位置関係算出部１３８は、携帯型受信機１００と各放送局の間の距離をそれぞれ算出する（Ｓ１４）。優先提示制御部１４０は、算出された距離に応じて、画面のレイアウトを決定する（Ｓ１６）。画面出力部は、決定されたレイアウトにしたがって、各放送局の放送サービスを合成して表示する（Ｓ１８）。
【００８０】
以上説明したように、本実施形態によれば、携帯型受信機において複数の放送サービスを受信可能であるとき、放送サービスが再生される画面を観察することで、携帯型受信機のユーザは、いずれの放送サービスを提供する放送局に近い位置にいるのかを直感的に把握することができる。
【００８１】
以上、本発明を実施例をもとに説明した。これらの実施例は例示であり、それらの各構成要素や各処理プロセスの組合せにいろいろな変形例が可能なこと、またそうした変形例も本発明の範囲にあることは当業者に理解されるところである。
【００８２】
位置特定部１２８によって特定された現在位置周辺の予め定められた範囲（例えば、現在位置を中心に１ｋｍ四方など）の地図データを管理サーバ１２または記憶装置１５０などから取得する地図取得部（図示せず）と、ディスプレイ２００に表示される範囲内に位置する放送局の放送エリアを図形化し、これをその範囲の地図データに重畳させて作成した地図画像をディスプレイ２００に表示する地図表示部（図示せず）とをさらに備えてもよい。これにより、実際の放送サービスの範囲および放送局の位置を詳細に知ることができる。
【００８３】
放送サービス情報には、各ワンセグ放送局の特色、放送中の番組内容などの追加情報が含まれていてもよい。放送エリアに加えて、これらの情報が地図画像に重畳されて表示されてもよい。
【００８４】
実施の形態では、携帯型受信機でワンセグ放送を受信することを説明した。しかし、本発明はワンセグ放送の受信に限られず、フルセグメント放送や１２セグメント放送などを受信する場合にも適用することができる。また、将来実施される可能性がある二つ以上のセグメントを利用する放送を受信する場合にも本発明を適用することができる。
【符号の説明】
【００８５】
１０  放送システム、  １２  管理サーバ、  ５０  放送サービス情報、  １００  携帯型受信機、  １０４  チューナ部、  １１２  画像合成部、  １２４  放送サービス情報取得部、  １２８  位置特定部、  １３８  位置関係算出部、  １４０  優先提示制御部、  １４２  画面レイアウト決定部、  １４４  音声調整部、  １４６  透明度調整部、  １４８  切換指示部、  １５０  記憶装置、  ２００  ディスプレイ、  Ａ  放送エリア、  Ｂ  放送局、  Ｓ  放送サービス。
【図１】
0005640903.tif 000002
【図２】
0005640903.tif 000003
【図３】
0005640903.tif 000004
【図４】
0005640903.tif 000005
【図５】
0005640903.tif 000006
【図６】
0005640903.tif 000007
【図７】
0005640903.tif 000008
【図８】
0005640903.tif 000009
【図９】
0005640903.tif 000010
【図１０】
0005640903.tif 000011
【図１１】
0005640903.tif 000012
【図１２】
0005640903.tif 000013
【図１３】
0005640903.tif 000014